(57)【要約】  【課題】従来のカットテープ用ガイド自体の厚みは１ｍｍ以上の厚みとなっており、壁紙糊付機で所定の長さの壁紙を糊付して裁断する工程において、壁紙糊付機のフレームや糊箱に糊の塗布された壁紙を一時的に貼り付けて固定し、カッターナイフなどにて切断するときに、このカットテープ用ガイドの厚みで糊の塗布された壁紙が少し浮き上がった状態となってしまっていたという課題があったのである。  【解決手段】テープ用ガイドの一方の面でガイドされるテープの幅方向両外側となる位置にそれぞれ粘着層を有し、上記粘着層間においてテープ通過経路を構成することを特徴とする壁紙糊付機のテープ用ガイドの提供を行う。【選択図】    図１
2020032369.tif 000002
【特許請求の範囲】
【請求項１】
壁紙糊付機に貼り付けられるテープ用ガイドであって、
テープ用ガイドの一方の面でガイドされるテープの幅方向両外側となる位置にそれぞれ粘着層を有し、
上記粘着層間においてテープ通過経路を構成する
ことを特徴とする壁紙糊付機のテープ用ガイド。
【請求項２】
請求項１記載のテープ用ガイドであって、
上記粘着層が剥離紙に貼り付けられ、上記剥離紙に少なくとも１枚のテープ用ガイドが貼り付けられていることを特徴とする壁紙糊付機のテープ用ガイド。
【請求項３】
請求項１記載のテープ用ガイドであって、
上記粘着層が剥離紙に貼り付けられ、テープ用ガイドが長尺であってロール状に巻かれていることを特徴とする壁紙糊付機のテープ用ガイド。
【発明の詳細な説明】
【技術分野】
【０００１】
本発明は、壁紙糊付機におけるテープガイドに関するものである。さらに詳しくは、壁紙糊付機において壁紙の裏面に糊を塗布する際に、壁紙の端部にカットテープや下敷きテープも貼り付けられているが、これらのカットテープや下敷きテープのガイドとなるテープガイドに関するものである。
【背景技術】
【０００２】
従来から壁紙糊付機に使用するカットテープ等のテープ類におけるガイドは知られている。例えば、糊箱の中央から前方へ向けて糊付ローラ、ドライブローラおよびガイドローラを順に支架し、長尺の壁紙を糊付ローラの上面、ドライブローラの下面および第五ローラの上面の順に接触させて上記糊箱の上前方へ引出すようにした壁紙糊付機において、十字形の平板からなり上下の舌片を表裏の片側へ、左右の舌片を反対側へぞれぞれ屈曲してフックを形成したカットテープ用ガイドを、そのフックによって上記前板の上縁に着脱自在に引掛けたことを特徴とする壁紙糊付機が知られている。（特許文献１）
【０００３】
また、十字形ではなく１つの舌片が無い状態の平板からなり上の舌片を表裏の片側へ、左右の舌片を反対側へぞれぞれ屈曲してフックを形成したカットテープ用ガイドなども知られており、これらのカットテープ用ガイドは薄い金属の板を材質として構成されていることが知られている。
【０００４】
そしてこのガイドはカットテープだけでなく、壁紙を重ねて切断してその切断端同士をぴったりと合わせて壁面に貼り付ける重ね切り施工の際に使用する下敷きテープを壁紙の端部に貼り付けることにも使用されている。
【先行技術文献】
【特許文献】
【０００５】
【特許文献１】実開平０２−１５３９９号公報
【発明の概要】
【発明が解決しようとする課題】
【０００６】
上記したカットテープ用ガイドは薄い金属の板を材質として構成されているとはいえ、カットテープ用ガイド自体の厚みは３ｍｍ以上の厚みとなっており、壁紙糊付機で所定の長さの壁紙を糊付して裁断する工程において、壁紙糊付機のフレームや糊箱に糊の塗布された壁紙を一時的に貼り付けて固定し、カッターナイフなどにて切断するときに、このカットテープ用ガイドの厚みで糊の塗布された壁紙が少し浮き上がった状態となってしまっていたのである。
【０００７】
そのため、壁紙を切断するためにピンと張った状態で壁紙糊付機のフレームや糊箱に糊の塗布された壁紙を一時的に貼り付けて固定するときに金属製のカットテープ用ガイドで壁紙を損傷してしまうということや、金属製のカットテープ用ガイドの角部分で壁紙に折りぐせをつけてしまったりすることがあったのである。
【０００８】
壁紙の損傷や折りぐせは、壁面に壁紙を貼付けした際に、壁紙に光に当たったときにその部分が他の部分を反射の仕方が変わったりして非常に目立ってしまうことが多く、仕上がりが悪くなってしまうのである。そのため改善が望まれていたのである。
【０００９】
また、テープ用ガイドのガイド部はテープの左右をガイドする舌片が折り曲げられたもので、ガイド部分としては中央部分が解放されており、その解放部を利用してテープを細く変形させてセットするのであるが、テープを絞るように変形させたりしてセットし、その後テープがしわになった状態のままにならないようにピンと張った状態にしたり、舌片にひっかかったりしてスムーズに搬送されない状態にならないよう作業者がテープの張り具合を確認しておく必要などもあったのである。
【課題を解決するための手段】
【００１０】
上記課題を解決するために本発明は、壁紙糊付機に貼り付けられるテープ用ガイドであって、テープ用ガイドの一方の面でガイドされるテープの幅方向両外側となる位置にそれぞれ粘着層を有し、上記粘着層間においてテープ通過経路を構成することを特徴とする。
【００１１】
また、上記粘着層が剥離紙に貼り付けられ、上記剥離紙に少なくとも１枚のテープ用ガイドが貼り付けられていることを特徴とする。
【００１２】
また、上記粘着層が剥離紙に貼り付けられ、テープ用ガイドが長尺であってロール状に巻かれていることを特徴とする。
【発明の効果】
【００１３】
本発明により、従来のテープガイドよりも厚みを薄くできるためにテープ用ガイドとして薄いものを提供することが可能となり、壁紙の切断時にテープ用ガイド部分が出っ張ることがなく壁紙を損傷させたり折りぐせをつけてしまうことを防ぐことができる。
【００１４】
さらに、テープをガイドする部分は解放部分がなくテープが外れにくくしっかりとしたガイドを行うことができるためにテープの搬送を確実にガイドすることが可能となる。
【００１５】
またさらに、従来は折り曲げた舌片で糊箱の上部縁部分にひっかけて使用していたが、粘着層で貼り付けるようにしているために貼り付けることができる部分であればテープ用ガイドの位置は作業者の任意の位置で貼り付けすることができる。
【図面の簡単な説明】
【００１６】
【図１】本発明のテープ用ガイドの使用状況を説明する図である。
【図２】本発明のテープ用ガイドの構成を説明する図である。（ａ）はテープが通過するテープ通過経路側から見た状態の図で、（ｂ）はテープの側面から見た状態の図である。
【図３】本発明のテープ用ガイドの提供形態について説明する図である。
【図４】本発明のテープ用ガイドの別の提供形態について説明する図である。
【発明を実施するための最良の形態】
【００１７】
本発明の実施形態について図面を用いて説明する。
図１は本発明のテープ用ガイド１の使用状況を説明する図である。壁紙糊付機（図示せず）の糊箱１０に貼り付けしてテープＴをガイドしている状態を図示したものである。
【００１８】
図１に図示しているように本発明のテープ用ガイドは、テープＴの通過経路のいずれかの壁紙糊付機の部分へ貼り付けする構成のものとしている。
【００１９】
図２は、本発明のテープ用ガイド１の構成を説明する図である。図２（ａ）はテープが通過するテープ通過経路側から見た状態の図で、図２（ｂ）はテープの側面から見た状態の図である。図２に示したように、テープ用ガイド１の左右両端には壁紙糊付機のいずれかの部分へ貼り付けるための粘着層３，３が設けられており、粘着層３，３はテープ用ガイド１の長さ方向いっぱいにわたって設けられている。
【００２０】
テープ用ガイド１の片方面の左右端部に設けられている粘着層３と粘着層３の間にテープ通過経路２が設けられている。このテープ通過経路２は、粘着層３に厚みを持たせて構成してもよいし、テープ用ガイド１のテープが段差を有するテープとして構成してもよいし、あるいはテープ用ガイド１のテープと同様の素材を図２（ａ）の粘着層と同じ大きさで貼り付けしたような構成としてもよい。
【００２１】
カットテープや下敷きテープは種々の幅のものが販売されており、例えば幅２５ｍｍ、３５ｍｍ、３８ｍｍ、４０ｍｍ、４５ｍｍ、５０ｍｍ、６０ｍｍなど種々の幅ものものが製造販売されている。そしてそれらの販売されているテープの厚みは０．０１〜０．２７ｍｍと種々の厚みのテープが販売されている。
【００２２】
テープ自体の厚みが最大で０．２７ｍｍであるので、粘着層３とテープ用ガイド１の粘着層３が設けられている側の段差の大きさは０．３ｍｍ程度にしておくと種々の厚みのテープを通すことができる。もちろん例えば幅２５ｍｍ用のテープに対して、粘着層３とテープ用ガイド１の粘着層３が設けられている側の段差の大きさを０．１ｍｍとした厚みの薄いテープ用のテープ用ガイドと段差の大きさを０．３ｍｍとした厚みの厚いテープ用のテープ用ガイドと複数の厚み用のテープ用ガイドを提供するようにしても良い。そのため、段差の寸法とガイド自体部分の厚みでテープ用ガイド１の厚みが決まる。段差については上記よりもさらに余裕を見て０．１〜０．７ｍｍ程度とし、ガイド自体部分の厚みを０．１〜０．３ｍｍ程度とすると、テープ用ガイド１の厚みは０．２〜１．０ｍｍ程度の厚みで十分薄いものとして提供することが可能となる。ただし、上記の寸法は本発明を限定するものではなく、テープの通り易さを重視して段差の寸法に余裕を持たせることを説明したものであり、上記した寸法以外の寸法値の実施態様とすることを除外したものではない。
【００２３】
そして、テープの幅に対して、テープ用ガイド１のテープ通過経路２の幅はテープ幅＋１ｍｍ程度の幅に設定し、テープの幅の種類数と同じだけの種類数のテープ用ガイドを提供すると良い。テープ幅＋１ｍｍにしておくと、テープＴとテープ用ガイド１の粘着層３，３との間には左右それぞれに０．５ｍｍづつの間隔ができるのでテープＴの位置決めができればその上方からテープ用ガイド１をテープＴを粘着層３で押さえつけること無く貼り付けすることができる。もちろんテープ幅＋１ｍｍという寸法に限定するものではない。テープ幅＋２ｍｍのテープ通過経路２の幅としてテープ用ガイド１の粘着層３，３とテープＴの間隔に余裕を持たせても良いし、寸法等を限定するものではないのである。
【００２４】
図３は、壁紙施工業者への本発明のテープ用ガイド１の提供形態について説明する図である。図３においては、テープ用ガイド１は、テープ用ガイド１よりもサイズの大きな剥離紙４に複数枚貼り付けられて提供するという実施態様を図示している。この図においては１つの剥離紙４にテープ用ガイド１を２枚貼り付けた状態の実施態様としている。テープ用ガイド１の長さは３０〜５０ｍｍの長さとし、幅方向については先に説明したとおりの寸法とした略四角形状であるが角部は面取りやＲ形状とした構成としている。
もちろん剥離紙４に貼り付ける枚数はさらに増加させても良いし、剥離紙４の１枚にテープ用ガイド１を１枚貼り付けた状態としても良い。
【００２５】
このように使用するサイズ１枚の大きさとして剥離紙４に貼り付けた状態で提供するので、テープ用ガイド１の四隅１ａは角張った状態のままとせずにＲ形状としたり、角の面取りをして提供することができ、より壁紙を傷めることなく安心して作業することができるテープ用ガイドの提供をすることが可能となる。
【００２６】
図４は、壁紙施工業者への本発明のテープ用ガイド１の図３とは異なる提供形態について説明する図である。図４においては、テープ用ガイド１は長尺状のロールとし、粘着層３，３にはその粘着層とほぼ同じか粘着層よりも少し大きい剥離紙４，４をそれぞれ貼り付けた状態の実施態様としている。テープ用ガイド１を長尺としているので、作業者が使用時に必要長さを切断して使用するという構成としているのである。本実施態様の場合は、テープ用ガイド１の表面を剥離紙として実施するようなことも可能であり剥離紙４，４を無くした実施態様とすることもできる。本提供形態においても切断した際に角部の面取りを行うことで図３で説明したようなＲ形状や面取りを図４の提供形態においても容易に加工しておくことができる。
【００２７】
図３のような提供態様であれば、テープ用ガイドは薄い金属製とすることもできるが、使用後の廃棄のことを考慮すると樹脂性のテープとすることが望ましい。また安価でテープ加工されているような樹脂を選択すればよい。そして図４のような提供対応であれば、樹脂性とすることが望ましい。
【符号の説明】
【００２８】
１  テープ用ガイド
２  テープ通過経路
３  粘着層
４  剥離紙
【図１】
2020032369.tif 000003
【図２】
2020032369.tif 000004
【図３】
2020032369.tif 000005
【図４】
2020032369.tif 000006